(57)【要約】      （修正有）【課題】内側に折り畳んで収納した広告物などの情報案内シートは複数個取り付けることが出来、もって、必要とされる複数種類の情報あるいはある情報についての詳細な情報が掲載できる折り畳みが他情報案内シートを提供する。【解決手段】方形状をなす基本台紙部分２と、基本台紙部分２の下端より折り曲げられて基本台紙部分に重なる下側表台紙部分３と、基本台紙部分２上端より折り曲げられて基本台紙部分２に重なる上側表台紙部分４と、を有し、下側あるいは上側表台紙部分４の一部に、他方の表台紙部分の一部が重なる長さの上側あるいは下側表台紙部分３としてなり、基本台紙部分及び上側あるいは下側表台紙部分３の内側には、各々基本台紙あるいは表台紙の縦方向の長さ及び横方向の長さを最大長さとし、長さ以下にして、縦、横に折り畳まれた情報案内シート７が少なくとも１シート取り付ける。【選択図】図２
0003155384.tif 000002
【実用新案登録請求の範囲】
【請求項１】
方形状をなす基本台紙部分と、該基本台紙部分下端より折り曲げられて基本台紙部分に重なる下側表台紙部分と、前記基本台紙部分上端より折り曲げられて基本台紙部分に重なる上側表台紙部分と、を有し、
前記下側表台紙部分あるいは上側表台紙部分の一部に、他方の表台紙部分の一部が重なる長さの上側表台紙部分あるいは下側表台紙部分としてなり、
前記上側表台紙部分あるいは下側表台紙部分のうち一方の表台紙部分の先端部分は前記他方の表台紙部分に形成した挿入スリットに挿入係止可能とし、
前記基本台紙部分及び上側表台紙部分あるいは下側表台紙部分の内側には、各々前記基本台紙あるいは表台紙の縦方向の長さ及び横方向の長さを最大長さとし、当該長さ以下にして、縦、横に折り畳まれた情報案内シートが少なくとも１シート取り付けられている、
ことを特徴とする折り畳み型情報案内シートホルダー。
【考案の詳細な説明】
【技術分野】
【０００１】
本考案は、折りたたみ式の広告物など情報案内シートをコンパクトに収納する折り畳み型情報案内シートホルダーに関するものである。
【背景技術】
【０００２】
従来、折りたたみ式の広告物を収納する折り畳み型広告物としては、実用新案登録番号第３１３８１３０号に記載されたものが一般に知られている。しかし、このタイプは内側に折り畳んだ広告物を１つしか取り付けられないタイプのものであり、もって、詳細な情報を掲載できないとの課題があった。
また、従来からのカードキーなどを収納するカードホルダーとしては、見開きタイプのものがある。このカードホルダーでは、カードキーを収納するためのポケットが、カードホルダーの内側に設けられており、カードキーを収納または取り出すためには、閉じられているカードホルダーを開かなければならなかった。
【特許文献１】実用新案登録公報第３１３８１３０号公報
【考案の開示】
【考案が解決しようとする課題】
【０００３】
ここで、前記従来の考案は、前述したように、内側に折り畳んで収納した広告物は１つしか取り付けられず、もって、詳細な情報が多く掲載できるタイプの情報案内シートが掲載できるタイプのものが要請されていた。
【０００４】
また、前述した従来のカードホルダーは、カードキーなどのカード状物体を収容する機能のみであり、他の地図やガイド用パンフレットなどは、カードホルダーとは別に携帯する必要があり、両方を携帯するとかさばり、また、地図やガイド用パンフレットは別々に携帯して紛失しやすいという課題があった。
【０００５】
かくして、本考案は、前記従来の課題に対処すべく創案されたものであり、内側に折り畳んで収納した広告物などの情報案内シートは複数個取り付けることが出来、もって、必要とされる複数種類の情報あるいはある情報についての詳細な情報が掲載できる折り畳みが他情報案内シートを提供することを目的とするものである。
しかも、従来のように、地図やガイド用パンフレットなどの両方を携帯してもかさばることがなく、地図やガイド用パンフレットなどを紛失することがない。
【課題を解決するための手段】
【０００６】
本考案は、方形状をなす基本台紙部分と、該基本台紙部分下端より折り曲げられて基本台紙部分に重なる下側表台紙部分と、前記基本台紙部分上端より折り曲げられて基本台紙部分に重なる上側表台紙部分と、を有し、
前記下側表台紙部分あるいは上側表台紙部分の一部に、他方の表台紙部分の一部が重なる長さの上側表台紙部分あるいは下側表台紙部分としてなり、
前記上側表台紙部分あるいは下側表台紙部分のうち一方の表台紙部分の先端部分は前記他方の表台紙部分に形成した挿入スリットに挿入係止可能とし、
前記基本台紙部分及び上側表台紙部分あるいは下側表台紙部分の内側には、各々前記基本台紙あるいは表台紙の縦方向の長さ及び横方向の長さを最大長さとし、当該長さ以下にして、縦、横に折り畳まれた情報案内シートが少なくとも１シート取り付けられている、
ことを特徴とするものである。
【考案の効果】
【０００７】
本考案による折り畳み型情報案内シートホルダーによれば、内側に折り畳んで収納した広告物などの情報案内シートは少なくとも１箇所以上複数個取り付けることが出来、もって、必要とされる複数種類の情報あるいはある情報についての詳細な情報が掲載できる折り畳みが他情報案内シートを提供することを目的とするものである。
しかも、従来のように、地図やガイド用パンフレットなどの両方を携帯してもかさばることがなく、地図やガイド用パンフレットなどを紛失することがない。
さらに、情報案内シートがしわになるのを保護しつつ、コンパクトに折り畳むことが出来、もってこれをズボンのポケットやバッグに入れておくこともできる。
【図面の簡単な説明】
【０００８】
【図１】本考案による折り畳み型情報案内シートホルダーの外観図である。
【図２】本考案による情報案内シートホルダーの開いた状態を説明する説明図である。
【図３】本考案による情報案内シートホルダーに折り畳んで収納された情報案内シートを開いた状態にして説明する説明図である。
【考案を実施するための最良の形態】
【０００９】
以下、本考案を図に示す最適な実施例に基づいて説明する。
図１に本考案による折り畳み型情報案内シートホルダー１の外観図を示す。
該折り畳み型情報案内シートホルダー１は、まず縦長の長方形状をなす基本台紙部分２と、該基本台紙部分３の下端より折り曲げられて基本台紙部分２に重なる下側表台紙部分３と、前記基本台紙部分２の上端より折り曲げられて基本台紙部分２に重なる上側表台紙部分４とを有して構成される（図１、図２参照）。
【００１０】
なお、図１乃至図３に示す実施例では、下側表台紙部分３は短尺に構成され、上側表台紙部分４は縦長の基本台紙部分２の長さとほぼ同様の長さとなっている。
しかし、この実施例に限定されるものではなく、上側表台紙部分４を短尺に構成し、下側表台紙部分３を縦長の基本台紙部分２の長さとほぼ同様の長さに構成しても構わないものである。
【００１１】
次に、図１及び図２から理解されるように、下側表台紙３には、水平方向に向かい、略円弧状に延出する挿入スリット５が設けられ、該挿入スリット５内に上側表台紙４の先端部分６が挿入可能とされている。よって、上側表台紙４の先端部分６が前記挿入スリット５内に挿入されて、本考案の折り畳み型情報案内シート１は閉じた状態とされる。
【００１２】
次に、基本台紙部分の内側、すなわち中側には、情報案内シート７が取り付けられる。この取り付けは、図２及び図３から理解されるように、一枚の大きなサイズの情報案内シート７を縦の折れ線８及び横の折れ線９・・・に沿って折り畳み、基本台紙部分２の縦、横の長さ以下にして収納したものである。
【００１３】
この折り畳み方につき説明すると、例えば図３に示すように折り畳めば込めばよい。例えば、基本台紙部分２に、前記情報案内シート７の左下コーナー部分の裏面に接着剤をつけ、前記基本台紙部分２の内側面に貼着する。そして、情報案内シート７は、まず、基本台紙部分２の横方向長さとほぼ同様の長さにして横の折れ線９・・・を幾重にも形成し、該横の折れ線９・・・に沿って横方向に幾重にも、たとえばアコーディオン状に折り畳むようにする。そして、幾重にも折り畳み、その折り畳んだ状態の情報案内シート７の横方向の長さが、前記基本台紙部分２の横方向の長さとほぼ同様の長さにした後、その情報案内シート７を縦方向に形成した縦の折れ線８に沿って一気に折り畳み、該縦方向に折り畳んだ情報案内シート７の縦方向の長さが前記基本台紙部分の縦方向の長さとほぼ同様になるようにするのである（図２参照）。
【００１４】
しかして、本件考案では、図３に示すように、情報案内シート７が基本台紙部分２のみではなく、上側表台紙部分４の内側面にも取り付けられるように構成されているものであり、これが本考案の大きな特徴の一つとなっている。
このような構成を採用すれば、例えば、基本台紙部分２に取り付けた情報案内シート７には情報として紹介するショップの案内情報を記載し、上側表台紙部分４に取り付けられた情報案内シート７には、そのショップを紹介する地図などを情報として記載することが出来るものとなる。  
【００１５】
なお、上記の実施例では、基本台紙部分２と上側表台紙部分４に情報案内シート７を取り付けたが、当該実施例に限定されるものではなく、下側表台紙部分３の長さを長くして、かかる部分内側に情報案内シート７を取り付けるタイプでも構わない。
さらに、情報案内シート７については、さらに大型のものを使用し、例えば、縦方向へ２つの縦の折れ線８、８を形成し、該２つの折れ線８、８に沿って三つ折りに折り畳むタイプでも構わないものである。
【００１６】
また、基本台紙部分２の裏面に、カード状物体、たとえば、ドアのカギを開閉するためのカードキーなどを収納するポケット部分（図示していない）を設けても構わない。
しかして、このポケットには、前述のカードキーの代わりに、ほかのカード状物体、たとえば名刺やクレジットカード、非接触型カード乗車券などを収納することもできる。
【００１７】
そして、前述の折り畳んだ情報案内シート７は、前記の実施例のほかにたとえば、使用者が宿泊しているホテルや特定の観光地、駅などの周辺地図、または観光ガイド用パンフレットなどを記載して情報案内シート７として使用しても構わない。
【００１８】
さらに、該情報案内シート７に、種々なイベント、キャンペーンの内容やスケジュールを印刷して、これを基本台紙部分２あるいは上側表台紙部分４、下側表台紙部分３の内側に取り付け、次いで空いている基本台紙部分２あるいは上側表台紙部分４、下側表台紙部分３の外側部分に、スポンサーの広告などを印刷して、構成しても構わないものである。
【００１９】
また、前記上側表台紙部分４、下側表台紙部分３、基本台紙部分２については、通常は長尺長方形状に一体整形されたものを折り曲げて上側表台紙部分４、下側表台紙部分３、基本台紙部分２としたものであり、これらは紙製、プラスチック製あるいは薄い金属シート製で形成したもので構わないものである。
【符号の説明】
【００２０】
１      折り畳み型情報案内シートホルダー
２      基本台紙部分
３      下側表台紙部分
４      上側表台紙部分
５      挿入スリット
６      先端部分
７      情報案内シート
８      縦の折れ線
９      横の折れ線
【図１】
0003155384.tif 000003
【図２】
0003155384.tif 000004
【図３】
0003155384.tif 000005